(57)【要約】      （修正有）【課題】ペットエステの方法とそのデリバリーサービス、ペット関連用品のデリバリー販売、およびその飼い主の心を癒すデリバリーサービスに関するビジネスモデルを提供する。【解決手段】ペットエステ技法は、植物エキスをベースとした消臭、除菌、保湿などの効果を持つ液体による噴霧作用、マッサージや指圧やピックアップ作用を組み合わせたことを特徴とする。デリバリーサービスは、自動車に霧化機や霧のペットサウナやドライヤやケージなどを装備してスタッフによりペットエステのデリバリーサービスを行うもので、車内でペットエステサービスを行う場合と在宅でサービスを行う場合がある。また、ペットフードやペットケア用品などのペット関連用品を積載展示して、併用して販売も行うと共に、孤独な飼い主との会話や交流を深めて飼い主の相談相手、聞き役になり、飼い主の心を癒すサービスを特徴とする。【選択図】なし【特許請求の範囲】
【請求項１】
植物エキスをベースとした消臭、除菌、保湿などの効果が期待される液を微細霧にして噴霧する作用とペットを癒すマッサージや指圧やピックアップ作用などを組み合わせたエステ技法で、マッサージや指圧やピックアップをしながらペットの身体に噴霧する方法やマッサージや指圧やピックアップの前後に噴霧する方法や空間の環境改善のため空中に噴霧する方法やペット用サウナと称してケース内に噴霧する方法を特徴としたペットエステに関するビジネスモデル。
【請求項２】
自動車に霧化機や噴霧式のペット用サウナやドライヤーやＤＣ／ＡＣインバーターなどを装備してペットエステスタッフによりペットエスのデリバリーサービスを行うことを特徴とし、車内でペットエステサービスを行うケースとポータブル型霧化機を飼い主宅迄持ち込んで在宅サービスを行うケースがある請求項１のペットエステに関するビジネスモデル。
【請求項３】
デリバリーサービス用の自動車にペットフードやペットケア用品などのペット関連用品を積載して販売サービスを行うと共にペットの飼い主との会話などにより孤独なペットの飼い主の話し相手となり、聞き役に徹して、心を癒すサービスをも含めたことを特徴とした請求項２のペットエステに関するビジネスモデル。
【発明の詳細な説明】
【技術分野】
【０００１】  本発明のビジネスモデルはペットエステに微細霧を活用した方法とペットエステのデリバリーサービスとペット関連用品のデリバリー販売とペットとその飼い主を含めた心を癒すサービスに関するものであり、ペットをポータブル型霧化機で有効に除菌、消臭、保湿して清潔にするし、レナード現象による多量の天然マイナスイオンと植物エキスによる森林浴効果によりペットを癒すことなどを目的とするものであるし、且つペットを飼っている場所まで出向いてペットエステのデリバリーサービスを行うペットエステに関するビジネスモデルについてである。
【背景技術】
【０００２】  従来のペットエステはマッサージをベースとしたもので泥などを使った「泥んこエステ」技法などであって、ペットの除菌、消臭やデリバリーサービスや心の癒しを主目的としたビジネスモデルではなかった。
【発明が解決しようとする課題】
【０００３】  ペットエステサービスは、近年登場したペットを癒し美しくする新しいサービスであり、その背景には人間社会の核家族化や高齢化による人々の孤独感が考えられますが、従来のペットエステサービスはペットを癒すことや美しくすることを最重要視したサービスであって、飼い主の利便性や癒しを配慮したものではなかった。
【０００４】  従来の「泥んこエステ」などは給湯機器やシャワー機器や乾燥機器などの設備や泥などの特殊マッサージ用資材が必要であるため店舗などの固定設備でのサービスを余儀なくされ、設備投資も高額であったし、自動車を利用したデリバリーサービスには不向きであって、特に在宅訪問サービスは困難であった。
【０００５】  本発明のペットエステに関するビジネスモデルの目的の一つはデリバリーサービスにより、特に高齢者に多い孤独なペットの飼い主との会話や交流を深めて飼い主自身の心を癒すこともサービスの一環であり、デリバリーサービスが困難であった従来法の問題点の一つでもあった。
【課題を解決するための手段】
【０００６】  いまその課題を解決するためのビジネスモデルを説明すれば、
請求項１については植物エキスをベースとした消臭、除菌、保湿などの効果が期待される液体による微細霧の噴霧作用とペットを癒すマッサージや指圧やピックアップ作用を組み合わせたエステ技法で、マッサージや指圧やピックアップをしながら噴霧する方法やマッサージや指圧やピックアップの前後に噴霧する方法や空間の改善のため空中に噴霧する方法やペットが入るケースに噴霧してペットサウナとする方法などを特徴としたペットエステ技法である。
【０００７】  請求項２については自動車に霧化機や噴霧式のペットサウナやドライヤーやＤＣ／ＡＣインバーターやケージなどを装備してペットエステスタッフによりペットエステのデリバリーサービスを行うもので、車内でペットエステサービスを行う場合とポータブル型霧化機を飼い主の自宅まで持ち込んで在宅サービスを行うケースがあり、ポータブル型霧化機は当社開発の特許出願番号「特願２００２−３６４４５１」名称「霧による簡易身体浄化法」の機器などを使用する。
【０００８】  請求項３については自動車にペットフードやペットケア用品などのペット関連用品を積載展示してペットエステサービスと併用して販売も行うと共にペットの孤独な飼い主との会話や交流を深めて飼い主の良き相談相手となるもので、技法的には飼い主の聞き役に徹して心を癒すサービスを特徴とする。
【作用】
【０００９】  次に本発明のビジネスモデルの作用を述べると、
請求項１はポータブル型の超音波霧化機によりペットや周辺へ粒径２〜３ミクロンの微細霧を噴霧して除菌や消臭や保湿を行うと共に多量のマイナスイオンや森林浴やペットエステスタッフによるマッサージや指圧やピックアップによりペットをきれいにして癒す作用である。
【００１０】  請求項２は自動車によりペットエステのデリバリーサービスを行うもので、車内でのサービスや在宅サービスを行う作用である。
【００１１】  請求項３は自動車にペット関連用品を積載、展示して販売を行うと共にペットの飼い主の話し相手や良き相談相手となり孤独なペットの飼い主の心をも癒す作用である。
【発明を実施するための最良の形態】
【００１２】  具体実施例を述べる、
（イ）噴霧する霧の粒径は２〜３ミクロンの微細霧とする。
（ロ）噴霧液は身体に害がなく皮膚に優しい除菌液や消臭液や、それらの混合液などで、フイトンチッド成分や葉緑素やパテントン酸やアミノ酸や各種ビタミンなどを含む植物エキスとする。
（ハ）噴霧液や還元水やマイナスイオン水やアルカリイオン水など必要に応じた液を選定して使用する場合がある。
（ニ）ポータブル型霧化機は当社開発の特許出願番号「特願２００２−３６４４５１」名称「霧による簡易身体浄化法」による霧化機を使用する。
（ホ）噴霧ノズルには噴霧口を有した着脱可能なトリミング用ブラシを組み合わせる。
（ヘ）霧化機には雑菌発生防止のためのセラミック抗菌材や紫外線殺菌灯などを装備する。
（ト）自動車は箱型が適当で車内にはＤＣ／ＡＣインバーター、霧化機、サウナ、ドライヤー、ケージなどを装備する。
（チ）ペットエステ以外にトリミングなどのサービスを行う場合には給湯装置やシャワー機器やシンクやトリミング台など必要装置を装備する。
（リ）アロマセラピーや音楽による癒しサービスも併用する。
（ヌ）ペットエステサービスを車周辺などで行う場合がある。
（ル）ペットエステの技法についてはセミナーを開催して技能者を育成するし必要に応じてペットエステ関係のアカデミーを開設する。
【発明の効果】
【００１３】  本発明の効果を述べれば、
請求項１では安価なポータブル型の超音波式霧化機によりペットや周辺へ植物エキスを噴霧して除菌や消臭や保湿を行なうと共に多量のマイナスイオンや森林浴により癒しますし、ペットエステスタッフによるマッサージや指圧やピックアップとの相乗効果によりペットをより清潔に美しくして癒しますし、幼児や高齢者などをペットに寄生する有害な細菌やダニ類や昆虫類から守ります。
【００１４】  請求項２では自動車を使ってペットエステのデリバリーサービスを行うことににより、ペットの飼い主などのお客様は所定のテナントなどへ行く必要もなく、お客様の要求に応じたサービスを提供することができ、特に高齢者の５０％はペットを飼っているといわれており、ペットを愛し自分を癒す高齢者や障害者などには必要不可欠なサービスであります。
【００１５】  請求項３は自動車へペット関連用品を積載、展示して販売すると共に、ペットの飼い主の良き話し相手や相談相手となり、孤独なペットの飼い主の心を癒すサービスでもあり、特に身体が不自由で孤独な高齢者には必要不可欠なサービスであります。
【００１６】  本発明のペットエステに関するビジネスモデルは安価なポータブル型の霧化機を活用して、従来型のペットエステ店のようにテナントの借用による敷金やテナント料の支払いも不用で、少資金で開業できるといった経済的効果やペットを清潔に美しくしてストレスを癒し健康にするばかりではなく、幼児や高齢者をペットに寄生する有害な細菌やダニ類や昆虫類から守り、且つ身体が不自由な人に便利なデリバリーサービスを行い、孤独で寂しい高齢者の心を癒すサービスでもあり、ペットを愛し心を癒す多くの人達へ心の通ったサービスを提供し、明るく楽しく健全な社会作りに大きく貢献するものであります。